【手続補正書】
【提出日】平成18年2月24日(2006.2.24)
【手続補正１】
【補正対象書類名】明細書
【補正対象項目名】特許請求の範囲
【補正方法】変更
【補正の内容】
【特許請求の範囲】
【請求項１】  ガスタービンプラントに排熱回収ボイラおよび蒸気タービンプラントを組み合わせたコンバインドサイクル発電プラントにおいて、前記蒸気タービンプラントの高圧タービンからのタービン排気を前記排熱回収ボイラの再熱器に供給する低温再熱管から分岐し、前記ガスタービンプラントのガスタービン高温部に冷却蒸気として供給する第１冷却蒸気供給管と、前記ガスタービン高温部を冷却後の冷却蒸気を前記低温再熱管に回収させる冷却蒸気回収管と、前記低温再熱管から分岐した前記第１冷却蒸気供給管に接続し、前記排熱回収ボイラにて発生させた中圧蒸気を供給する第２冷却蒸気供給管とを備えたことを特徴とするコンバインドサイクル発電プラント。
【請求項２】  請求項１記載のコンバインドサイクル発電プラントにおいて、前記排熱回収ボイラからの蒸気を前記第１冷却蒸気供給管に供給する冷却蒸気バックアップ系統をさらに備えたことを特徴とするコンバインドサイクル発電プラント。
【請求項３】  低温再熱管は、第１冷却蒸気供給管を分岐させた分岐点の下流側に、蒸気タービンプラントの高圧タービンからのタービン排気の流量を調整する流量調節弁を備えたことを特徴とする請求項１または２記載のコンバインドサイクル発電プラント。
【請求項４】  冷却蒸気回収管には、圧力調節弁が介装されていることを特徴とする請求項１乃至３のいずれか１項記載のコンバインドサイクル発電プラント。
【請求項５】  第１冷却蒸気供給管は、低温再熱器の分岐点と第２冷却蒸気管を接続させる接続点との中間部分に、蒸気タービンプラントの高圧タービンのタービン排気をガスタービンプラントのガスタービン高温部に冷却蒸気として供給することを縁切りする縁切り手段を備えたことを特徴とする請求項１乃至４のいずれか１項記載のコンバインドサイクル発電プラント。
【請求項６】  縁切り手段は、逆止め弁であることを特徴とする請求項５記載のコンバインドサイクル発電プラント。
【請求項７】  縁切り手段は、仕切弁であることを特徴とする請求項５記載のコンバインドサイクル発電プラント。
【請求項８】  縁切り手段は、直列接続された逆止め弁と仕切弁からなることを特徴とする請求項５記載のコンバインドサイクル発電プラント。
【請求項９】  縁切り手段は、強制閉鎖逆止め弁であることを特徴とする請求項５記載のコンバインドサイクル発電プラント。
【請求項１０】  冷却蒸気バックアップ系統は、排熱回収ボイラの過熱器を蒸気タービンプラントの高圧タービンに接続させる主蒸気系統から分岐し、第１冷却蒸気供給管に接続する第１冷却蒸気バックアップ管と、前記排熱回収ボイラの過熱器入口側から分岐し、前記第１冷却蒸気バックアップ管に接続する第２冷却蒸気バックアップ管とを備えたことを特徴とする請求項２記載のコンバインドサイクル発電プラント。
【請求項１１】  第１冷却蒸気バックアップ管は、第１流量調節弁と第１冷却蒸気バックアップ用逆止め弁とを備えるとともに、第１流量調節弁と第１冷却蒸気バックアップ用逆止め弁とを直列接続させたことを特徴とする請求項１０記載のコンバインドサイクル発電プラント。
【請求項１２】  第２冷却蒸気バックアップ管は、第２流量調節弁を備えたことを特徴とする請求項１０記載のコンバインドサイクル発電プラント。
【請求項１３】  第２冷却蒸気バックアップ管は、第１冷却蒸気バックアップ管の第１流量調節弁と第１冷却蒸気バックアップ用逆止め弁との中間部分に接続したことを特徴とする請求項１０記載のコンバインドサイクル発電プラント。
【手続補正２】
【補正対象書類名】明細書
【補正対象項目名】００１４
【補正方法】変更
【補正の内容】
【００１４】
【課題を解決するための手段】
本発明に係るコンバインドサイクル発電プラントは、上述の目的を達成するために、請求項１に記載したように、ガスタービンプラントに排熱回収ボイラおよび蒸気タービンプラントを組み合わせたコンバインドサイクル発電プラントにおいて、前記蒸気タービンプラントの高圧タービンからのタービン排気を前記排熱回収ボイラの再熱器に供給する低温再熱管から分岐し、前記ガスタービンプラントのガスタービン高温部に冷却蒸気として供給する第１冷却蒸気供給管と、前記ガスタービン高温部を冷却後の冷却蒸気を前記低温再熱管に回収させる冷却蒸気回収管と、前記低温再熱管から分岐した前記第１冷却蒸気供給管に接続し、前記排熱回収ボイラにて発生させた中圧蒸気を供給する第２冷却蒸気供給管とを備えたものである。
【手続補正３】
【補正対象書類名】明細書
【補正対象項目名】００１５
【補正方法】変更
【補正の内容】
【００１５】
また、本発明に係るコンバインドサイクル発電プラントは、上述の目的を達成するために、請求項２に記載したように、請求項１記載のコンバインドサイクル発電プラントにおいて、前記排熱回収ボイラからの蒸気を前記第１冷却蒸気供給管に供給する冷却蒸気バックアップ系統をさらに備えたものである。
【手続補正４】
【補正対象書類名】明細書
【補正対象項目名】００１７
【補正方法】変更
【補正の内容】
【００１７】
また、本発明に係るコンバインドサイクル発電プラントは、請求項４に記載したように、冷却蒸気回収管には、圧力調節弁が介装されていることを特徴とするものである。
【手続補正５】
【補正対象書類名】明細書
【補正対象項目名】００２１
【補正方法】変更
【補正の内容】
【００２１】
また、本発明に係るコンバインドサイクル発電プラントは、上述の目的を達成するために、請求項８に記載したように、縁切り手段は、直列接続された逆止め弁と仕切弁からなることを特徴とするものである。
【手続補正６】
【補正対象書類名】明細書
【補正対象項目名】００３３
【補正方法】変更
【補正の内容】
【００３３】
一方、蒸気タービンプラント３は、高圧タービン２６、中圧タービン２７、低圧タービン２８、発電機２９のそれぞれに区分けされ、排熱回収ボイラ３の第３高圧過熱器９から高圧加減弁３０を介して案内された過熱蒸気を、高圧タービン２６で膨張仕事をさせ、膨張仕事後のタービン排気を、低温再熱管３１、減温器３２を介して再熱器１１に案内され、ここで再び過熱して再熱蒸気とし、その再熱蒸気を再熱蒸気管３３、再熱蒸気組合せ弁３４を介して中圧タービン２７に案内して膨張仕事をさせ、さらに、そのタービン排気を低圧タービン２８でも膨張仕事をさせ、各タービン２６，２７，２８の膨張仕事による動力で発電機２９を駆動するようになっている。
【手続補正７】
【補正対象書類名】明細書
【補正対象項目名】００４１
【補正方法】変更
【補正の内容】
【００４１】
通常運転時、冷却蒸気供給系統４２は、高圧タービン２６から低温再熱管３１、分岐点Ａ、逆止め弁４７を介して供給されるタービン排気と排熱回収ボイラ２の中圧ドラム１８から供給される中圧蒸気を中圧過熱器１５、第２冷却蒸気供給管４６を介して合流点Ｂで合流させ、その合流蒸気を第１冷却蒸気供給管４５を介してガスタービン７のガスタービン高温部４１に供給する。
【手続補正８】
【補正対象書類名】明細書
【補正対象項目名】００４３
【補正方法】変更
【補正の内容】
【００４３】
一方、起動、停止、あるいは低負荷運転時など、排熱回収ボイラ８から発生する蒸気の圧力が低く、低温再熱蒸気管３１および第２冷却蒸気供給管４６からガスタービン高温部４１に供給する冷却蒸気の圧力を高くする必要があるとき、冷却蒸気回収系統４３は圧力調節弁４８を制御し、冷却蒸気のガスタービン高温部４１への供給圧力を高くする。この場合、冷却蒸気供給系統４２の冷却蒸気は、低温再熱管３１のタービン排気の圧力より高くなるので逆止め弁４７を閉じ、低温再熱管３１との縁切りを行い、排熱回収ボイラ３の中圧ドラム１８から供給される中圧蒸気を中圧過熱器１５、第２冷却蒸気供給管４６、合流点Ｂを介してガスタービン高温部４１に冷却蒸気として供給するとともに、高圧タービン２６のタービン排気圧力、温度を低くして部分負荷効率を高める。
【手続補正９】
【補正対象書類名】明細書
【補正対象項目名】００４４
【補正方法】変更
【補正の内容】
【００４４】
なお、本実施形態では、低負荷運転時、冷却蒸気供給系統４２の冷却蒸気を圧力制御するとき、低温再熱管３１の縁切りを逆止め弁４７で行っているが、この例に限らず、例えば図２に示すように、仕切弁５１で行ってもよく、また、例えば図３に示すように、逆止め弁４７と仕切弁５１とを直列に配置してもよく、さらにまた、例えば、図４に示すように、強制閉鎖機能を備えた強制閉鎖逆止め弁５２で行ってもよい。
【手続補正１０】
【補正対象書類名】明細書
【補正対象項目名】００４７
【補正方法】変更
【補正の内容】
【００４７】
本実施形態に係るコンバインドサイクル発電プラントは、起動、停止、あるいは低負荷運転時など、蒸気タービンプラント３の高圧タービン２６からタービン排気の圧力が低いため、排熱回収ボイラ２の中圧ドラム１８から供給される中圧蒸気を中圧過熱器１５、第２冷却蒸気供給管４６、第１冷却蒸気供給管４５を介して冷却蒸気としてガスタービン高温部４１に供給し、高圧タービン２６からのタービン排気を低温再熱管３１から冷却蒸気としてガスタービン高温部４１に供給することを縁切りする際、縁切り手段に逆止め弁４７を用いるとともに、第１冷却蒸気供給管４５に冷却蒸気バックアップ系統５３を設けたものである。
【手続補正１１】
【補正対象書類名】明細書
【補正対象項目名】００４８
【補正方法】変更
【補正の内容】
【００４８】
本実施形態は、起動、停止、あるいは低負荷運転時、高圧タービン２６からのタービン排気を冷却蒸気としてガスタービン高温部４１に供給することを縁切りし、中圧ドラム１８からの中圧蒸気を冷却蒸気としてガスタービン高温部４１に供給する際、中圧ドラム１８からの中圧蒸気が不足することを考慮したもので、縁切り手段の下流側と第２冷却蒸気供給管４６との合流点Ｂから下流側の第１冷却蒸気供給管４５の接続点Ｄに冷却蒸気バックアップ系統５３を接続させる構成になっている。